(57)【要約】【課題】制御機器２により部屋に設置したヒータ３の通電／非通電の制御を行って暖房制御を行う際に、省エネルギの効果を高める。【解決手段】端末送信機１を部屋の照明用のスイッチケース１０内に内蔵させ、照明スイッチ１０ａのオンにより端末送信機１に通電し、端末送信機１から無線信号を送信する。制御機器２でスケジュール時間に基づいて部屋に設置したヒータ３の通電／非通電の制御を行う。制御機器２において、スケジュール時間になるとヒータ３に通電し、遅延時間（所定時間）内に端末送信機１からの無線信号が受信されると、ヒータ３への通電を続行する。遅延時間内に端末送信機１からの無線信号が受信されなければ、ヒータ３を非通電にする。その後、スケジュール時間内に端末送信機１からの無線信号が受信されると、ヒータ３に通電する。【選択図】図１
2011191015.tif 000002
【特許請求の範囲】
【請求項１】
無線信号を受信する無線通信手段を備えるとともに、予め設定されたスケジュール時間に基づいて部屋に設置したヒータへの通電／非通電の制御を行う制御機器と、前記部屋の照明スイッチのオン／オフに連動し通電状態／非通電状態となり、通電状態のとき前記無線信号を前記制御機器に送信する端末送信機と、を備えた照明連動型暖房制御装置であって、前記制御機器は、前記スケジュール時間になると前記ヒータに通電し、所定時間が経過したときに前記端末送信機から無線信号が受信されていれば前記ヒータへの通電を続行し、前記所定時間が経過したときに前記端末送信機から無線信号が受信されなければ前記ヒータを非通電にするとともに、その後、当該スケジュール時間内に前記端末送信機から無線信号が受信されれば前記ヒータに通電することを特徴とする照明連動型暖房制御装置。
【発明の詳細な説明】
【技術分野】
【０００１】
本発明は、部屋に設置したヒータのへの通電／非通電を制御機器により制御する暖房制御装置に関し、特に照明に連動して制御する照明連動型暖房制御装置に関する。
【背景技術】
【０００２】
従来、部屋の暖房を制御するシステムとして、例えば特開２００２−１３９２２６号公報（特許文献１）、特開２００２−２７１５０６号公報（特許文献２）に開示されたものがある。特許文献１のものは、床暖房リモコンの操作に応じてシステムコントローラが暖房水の流路を制御するようにした床暖房器であり、部屋を複数の暖房エリアに区分して暖房エリアを選択することで、部屋の床暖房を無駄なく行うものである。特許文献２のものは、パーソナルコンピュータや携帯電話の操作によりネットワークを介して遠隔制御装置と通信を行ったり、遠隔制御装置に対してリモコン操作をするようにした遠隔制御システムであり、遠隔制御装置がエアコンの動作制御を行うものである。
【０００３】
このように、リモコン操作やパーソナルコンピュータあるいは携帯電話などで操作する場合は、こまめなオン／オフが可能であるが、操作が煩わしい場合がある。これに対して、特許文献１のものは、タイマー機能により運転時間を設定して床暖房を制御できるようにしている。また、特許文献２のものは、タイマー運転・停止によりエアコンを制御できるようにしている。
【０００４】
また、部屋に設置したヒータへの通電／非通電を制御機器により制御する暖房制御装置において、制御機器にスケジュール時間を予め設定しておき、制御機器はこのスケジュール時間になるとヒータへの通電を開始し、スケジュール時間を過ぎるとヒータへの通電を遮断するような、ヒータのオン／オフ制御を行うものがある。これも、タイマーによる制御と同様である。
【先行技術文献】
【特許文献】
【０００５】
【特許文献１】特開２００２−１３９２２６号公報
【特許文献２】特開２００２−２７１５０６号公報
【発明の概要】
【発明が解決しようとする課題】
【０００６】
前記特許文献１及び特許文献２におけるタイマーによる暖房運転の制御を行う場合、あるいは、スケジュール時間に基づいてヒータへの通電／非通電を制御する暖房制御装置においては、運転／停止の動作は自動で行われるが、人がいない部屋においてもタイマーの設定時間あるいはスケジュール時間に達すると暖房運転が開始されてしまう。このため、無駄な暖房を行うことになり、省エネルギという点で改良の余地がある。
【０００７】
本発明は、部屋に設置したヒータへの通電／非通電を制御機器によりスケジュール時間に基づいて制御する暖房制御装置において、無駄な暖房運転を低減して省エネルギを図ることを課題とする。
【課題を解決するための手段】
【０００８】
請求項１の照明連動型暖房制御装置は、無線信号を受信する無線通信手段を備えるとともに、予め設定されたスケジュール時間に基づいて部屋に設置したヒータへの通電／非通電の制御を行う制御機器と、前記部屋の照明スイッチのオン／オフに連動し通電状態／非通電状態となり、通電状態のとき前記無線信号を前記制御機器に送信する端末送信機と、を備えた照明連動型暖房制御装置であって、前記制御機器は、前記スケジュール時間になると前記ヒータに通電し、所定時間が経過したときに前記端末送信機から無線信号が受信されていれば前記ヒータへの通電を続行し、前記所定時間が経過したときに前記端末送信機から無線信号が受信されなければ前記ヒータを非通電にするとともに、その後、当該スケジュール時間内に前記端末送信機から無線信号が受信されれば前記ヒータに通電することを特徴とする。
【発明の効果】
【０００９】
請求項１の照明連動型暖房制御装置によれば、ヒータへの通電／非通電の制御を行う際に、制御機器は端末送信機からの無線信号の受信状態／非受信状態に基づいて、スケジュール時間に基づくヒータへの通電／非通電の制御を行い、スケジュール時間になってヒータに通電した後、所定時間が経過しても端末送信機からの無線信号が受信されなければヒータを非通電にする。一般に人が部屋に不在のときは、照明スイッチがオフとなり、端末送信機からの無線信号が非受信状態になるため、ヒータを非通電として無駄な暖房運転を抑えることができ、さらなる省エネルギが図れる。
【図面の簡単な説明】
【００１０】
【図１】本発明の実施形態の照明連動型暖房制御装置の概略構成を示す図である。
【図２】実施形態の端末送信機及び照明回路のブロック図である。
【図３】実施形態の制御機器のブロック図である。
【図４】実施形態における動作の一例を示すタイミングチャートである。
【発明を実施するための形態】
【００１１】
次に、本発明の実施形態について説明する。図１は実施形態の照明連動型暖房制御装置の概略構成を示す図、図２は実施形態における端末送信機及び照明回路のブロック図、図３は実施形態における制御機器のブロック図である。この照明連動型暖房制御装置は、例えばＡ室及びＢ室の２つの部屋に対して設けられたものである。各部屋は壁にスイッチケース１０が埋設されており、天井に照明装置２０が取り付けられている。スイッチケース１０は人が手で操作する照明スイッチ１０ａを備えており、照明スイッチ１０ａがオンすると商用電源３０から照明装置２０に通電されて照明装置２０が点灯する。照明スイッチ１０ａがオフすると通電が絶たれて照明装置２０が消灯する。
【００１２】
各部屋のスイッチケース１０，１０内には小型の端末送信機１，１がそれぞれ搭載されている。各部屋の端末送信機１，１は照明スイッチ１０ａのオンに連動して通電状態になり、制御機器２に対してそれぞれ無線信号を送信する。この無線信号は予め決められたフォーマットである。また、制御機器２は、２つの部屋にそれぞれ設けられたヒータ３，３の通電／非通電の制御を行い、各部屋のそれぞれに対して例えば床暖房を行う。以下の説明では、制御機器２に対して１つの端末送信機１について説明するが、各端末送信機１，１は同じ構造であり、また、各端末送信機１，１は制御機器２に対して互いに独立して対等な関係にある。
【００１３】
図２に示すように、端末送信機１は、マイクロコンピュータ（以下、マイコンという）１１、無線通信手段としての送信部１２、電源回路１３等から構成されている。送信部１２は、短距離無線通信規格（例えば数十メートルの送受信距離）でデータを送信する回路であり、この送信部１２から無線信号を制御機器２に無線送信する。電源回路１３は、照明スイッチ１０ａと照明装置２０との間で、商用電源３０に対して照明装置２０と並列に接続されており、照明スイッチ１０ａがオンとなると電源回路１３に通電され、端末送信機１が動作する。照明スイッチ１０ａがオフとなると電源回路１３への通電が絶たれて、端末送信機１が動作を停止する。マイコン１１には実行するためのプログラムが記憶されており、電源回路１３に通電されるとマイコン１１がプログラムを実行することで送信部１２が無線信号を送信する送信動作が行われる。
【００１４】
図３に示すように、制御機器２は、マイコン（マイクロコンピュータ）２１、無線通信手段としての受信部２２、操作パネル２３、タイマー２４、時計２５及び電源回路２６等から構成されている。受信部２２は端末送信機１の送信部１２と同様に短距離無線通信規格でデータを受信する回路である。操作パネル２３はスケジュール時間等の各種設定を行うものである。タイマー２４は、所定時間としての遅延時間を計時する。時計２５は、時間、日、曜日、月、年の情報の計時及び更新を行うカレンダー機能の役割をするものであり、この時計２５で得られるカレンダー機能に基づいて、スケジュール時間の判定を行う。マイコン２１には実行するためのプログラムが記憶されており、マイコン２１がこのプログラムを実行することで受信部２２の受信動作、ヒータ３に対する通電／非通電の制御等が行われる。また、マイコン２１には、操作パネル２３により設定されたスケジュール時間等の各種設定情報が記憶される。なお、この制御機器２は電源回路２６を介した商用電源を動作用電源として動作する。
【００１５】
ここで、Ａ室の端末送信機１とＢ室の端末送信機１とは、制御機器２に対して同じプロトコルで無線信号を送信するが、２つの端末送信機１，１には、それぞれユニークなＩＤコード（あるいはアドレス）が設定されており、このＩＤコードが無線信号に含まれている。そして、制御機器２はこのＩＤコードにより受信した無線信号がどの端末送信機１のものであるかを識別することができ、その識別した端末送信機１に対応するヒータ３の制御を行う。
【００１６】
図４は実施形態における動作の一例を示すタイミングチャートである。なお、端末送信機１において、「オン」は照明スイッチ１０ａがオンとなって照明装置２０が点灯するとともに無線信号を送信している状態である。また、「オフ」は照明スイッチ１０ａがオフとなって照明装置２０が消灯するとともに無線信号を送信していない状態である。また、「遅延時間」は所定時間に相当する。
【００１７】
第１例（Ａ）は、スケジュール時間の途中で端末送信機１の無線信号の送信がオン／オフした例である。スケジュール時間の運転開始のタイミングとなると、制御機器はヒータに通電し、無線信号が受信されない状態（オフ）で遅延時間が経過すると、ヒータを非通電にする。その後、このスケジュール時間内で無線信号が受信（オン）されると、ヒータに通電する。さらに、その後、スケジュール時間内で無線信号が受信されなくなると、ヒータを非通電にする。この場合、スケジュール時間内でヒータを非通電としている間だけ省エネルギとなる。
【００１８】
第２例（Ｂ）は、遅延時間内に端末送信機１の無線信号の送信がオンとなった場合である。スケジュール時間の運転開始のタイミングとなると、制御機器はヒータに通電し、遅延時間が経過するまでに無線信号が受信されると、ヒータの通電を続行する。その後、スケジュール時間内で無線信号が受信されなくなると、ヒータを非通電にし、さらに、その後、無線信号が受信されるとヒータに通電する。そして、スケジュール時間の運転停止のタイミングから遅延時間が経過する間に無線信号が受信されなくなると、ヒータを非通電にする。この場合、スケジュール時間内でヒータを非通電としている間だけ省エネルギとなる。
【００１９】
第３例（Ｃ）は、スケジュール時間の前後で端末送信機１の無線信号の送信がオン／オフした例である。スケジュール時間の運転開始のタイミング前に無線信号が受信されると、その時点でヒータに通電する。そして、スケジュール時間の運転停止のタイミングから遅延時間が経過すると、無線信号が受信されていても、ヒータを非通電にする。
【００２０】
以上のように、制御機器２は、スケジュール時間になるとヒータ３に通電し、遅延時間（所定時間）が経過したときに端末送信機１から無線信号が受信されていればヒータ３への通電を続行している。また、スケジュール時間の運転開始のタイミングから遅延時間が経過したときに、端末送信機１から無線信号が受信されなければヒータ３を非通電にし、その後、スケジュール時間内に端末送信機１から無線信号が受信さればヒータ３に通電している。このような動作により、無駄な暖房を低減し、省エネルギを図れる。
【符号の説明】
【００２１】
１      端末送信機
２      制御機器
３      ヒータ
１０    スイッチケース
１０ａ  照明スイッチ
２０    照明装置
１１    マイコン
１２    送信部
１３    電源回路
２１    マイコン
２２    受信部
２３    操作パネル
２４    タイマー
２５    時計
【図１】
2011191015.tif 000003
【図２】
2011191015.tif 000004
【図３】
2011191015.tif 000005
【図４】
2011191015.tif 000006